(57)【要約】【課題】部品点数を削減して、生産性の向上と製造原価の削減を図る。【解決手段】ベース部材１の背面側に、Ｌ字状に形成した左右一対の抱持手段９と、各抱持手段９から前面側に所定の間隔、すなわちフローティングコネクタ７の左右の挟装部７Ｂの部分の厚さと同じかそれより僅かに狭い間隔を保持して立設した左右一対の短冊状受部材１０と、左右一対の三角状押え板部材１１とを設け、短冊状受部材１０の背面側には係合穴７Ａと嵌合可能な凸状の係合突起１０Ａを設け、三角状押え板部材１１は垂直に形成した端面を背面に向けて立設し、挟装部７Ｂを抱持手段９と短冊状受部材１０との間の空隙１９に上方から挿し込む際に、短冊状受部材１０は前面側に撓んで抱持手段９との離間距離が増大し、フローティングコネクタ７のさらなる下方への挿し込みを可能とすると共に、係合突起１０Ａが係合穴７Ａに嵌り込んで、フローティングコネクタ７が抱持手段９と短冊状受部材１０とで挟持されるようにした。【選択図】　　　　図２
2004121737.tif 000002
【特許請求の範囲】
【請求項１】
容器部材に貯留したコイン状部材を電動モータにより回転させる回転部材の分離穴を介して１枚づつ送出するコイン状部材送出装置において、電動モータなどの電気機構部が連結されたフローティングコネクタが、容器部材、電動モータ、回転部材などが装着されたベース部材に凹凸嵌合を利用して装着されたことを特徴とするコイン状部材送出装置。
【請求項２】
ベース部材には一対の平板状受部材と、各平板状受部材に隣接して対向設置された一対の抱持手段とが備えられ、平板状受部材と抱持手段との間に形成された一対の空隙にフローティングコネクタの両端部が挿し込まれてフローティングコネクタとベース部材とが凹凸嵌合し、フローティングコネクタがベース部材に装着されたことを特徴とする請求項１記載のコイン状部材送出装置。
【請求項３】
少なくとも平板状受部材または抱持手段の何れか一方に設けられた突起または凹みと、フローティングコネクタに設けられた凹みまたは突起とが凹凸嵌合して、フローティングコネクタがベース部材に固定されたことを特徴とする請求項２記載のコイン状部材送出装置。
【発明の詳細な説明】
【０００１】
【発明の属する技術分野】
この発明は、貯留してある硬貨、遊技用メダルなどのコイン状部材を１枚づつに分離しながら送出する機構を持つコイン状部材送出装置に関する。
【０００２】
【従来の技術】
この種の装置としては、例えば図３に示したように、土台となるベース部材１と、そのベース部材１の上方に配置された容器部材２と、ベース部材１の上部に設置されて電動モータ３により回転駆動され、容器部材２に貯留してあるコイン状部材を送出する円板状の回転体４とを少なくとも備えて構成され、前面側に配置された送出口５から硬貨や遊技用のメダルを払い出すようにしたコイン状部材送出装置１００Ｘが周知である（例えば、特許文献１参照。）。
【０００３】
なお、回転体４にはコイン状部材を１枚づつ通過させるための分離穴４Ａが外周縁に沿って複数個列設されている。そして、電動モータ３、送出口５から払い出す硬貨や遊技用メダルの枚数を計測する図示しない計数センサ、容器部材２に設置されて容器部材２内に貯留されている硬貨や遊技用メダルの残量を計測する図示しない計量センサなどの電気機構部には、螺子６により送出口５の反対側、すなわちベース部材１の背面側に固定されたオス型のフローティングコネクタ７から延設した図示しないハーネスを介して必要な電力、制御信号などを適宜送ることができるようになっている。
【０００４】
すなわち、従来のコイン状部材送出装置１００Ｘにおいては、電動モータ３やセンサなどの電気機構部に供給する電力や制御信号などは、ベース部材１に螺子６により固定されたフローティングコネクタ７を介して供給する構成となっていたので、部品点数が増加し、生産性の向上が図れないと云った問題点があった。
【０００５】
【特許文献１】
特開２０００−１３２７２３号公報（図１）
【０００６】
【発明が解決しようとする課題】
そのため、フローティングコネクタを固定するための螺子が不要となる構成を考案して、部品点数の削減を図ると共に、生産性を改善する必要があり、その解決が課題となっていた。
【０００７】
【課題を解決するための手段】
本発明は、上記従来技術の課題を解決するため、容器部材に貯留したコイン状部材を電動モータにより回転させる回転部材の分離穴を介して１枚づつ送出するコイン状部材送出装置において、電動モータなどの電気機構部が連結されたフローティングコネクタを、容器部材、電動モータ、回転部材などが装着されたベース部材に凹凸嵌合を利用して装着するようにした第１の構成のコイン状部材送出装置と、
【０００８】
前記第１の構成のコイン状部材送出装置において、ベース部材が一対の平板状受部材と、各平板状受部材に隣接して対向設置された一対の抱持手段とを備え、平板状受部材と抱持手段との間に形成した一対の空隙にフローティングコネクタの両端部を挿し込んでフローティングコネクタとベース部材とを凹凸嵌合し、フローティングコネクタをベース部材に固定するようにした第２の構成のコイン状部材送出装置と、
【０００９】
前記第２の構成のコイン状部材送出装置において、少なくとも平板状受部材または抱持手段の何れか一方に設けた突起または凹みと、フローティングコネクタに設けた凹みまたは突起とを凹凸嵌合して、フローティングコネクタをベース部材に固定するようにした第３の構成のコイン状部材送出装置と、
を提供するものである。
【００１０】
【発明の実施の形態】
以下、本発明の一実施形態を図１と図２に基づいて詳細に説明する。なお、理解を容易にするため、これらの図においても前記図３において説明した部分と同様の機能を有する部分には、同一の符号を付した。
【００１１】
本発明のコイン状部材送出装置１００においては、図２に示したようにオス型のフローティングコネクタ７が装着されるベース部材１の背面側のコネクタ装着部８には、Ｌ字状に形成されて対向設置された左右一対の抱持手段９と、各抱持手段９から送出口５側（すなわち前面側）に、所定の間隔（すなわちフローティングコネクタ７の係合穴（解決手段で云う凹みに該当）７Ａが開設されている左右両端部分の挟装部７Ｂの部分の厚さと同じか、それより僅かに狭い間隔）を保持して立設された左右一対の短冊状受部材（解決手段で云う平板状受部材に該当）１０と、左右一対の三角状押え板部材１１とが設けられている。
【００１２】
短冊状受部材１０の背面側、すなわち抱持手段９側にはフローティングコネクタ７の係合穴７Ａに嵌り込むことのできる凸状の係合突起１０Ａが設けられ、三角状押え板部材１１は垂直に形成された端面が背面に向けられ、広い面が左右方向に向けられて立設されている。
【００１３】
すなわち、フローティングコネクタ７の左右の挟装部７Ｂが抱持手段９と短冊状受部材１０との間の空隙１９に上方から挿し込まれ、凸状の係合突起１０Ａの位置までフローティングコネクタ７の挟装部７Ｂの下端部が挿し込まれると、短冊状受部材１０は前面側に撓んで抱持手段９との離間距離が増大し、フローティングコネクタ７のさらなる下方への挿し込みが可能となると共に、係合突起１０Ａが挟装部７Ｂの係合穴７Ａに嵌り込んで、フローティングコネクタ７が抜け落ちることがないように抱持手段９と短冊状受部材１０とで挟持される。
【００１４】
そして、抱持手段９と短冊状受部材１０とで挟持されたオス型のフローティングコネクタ７の前面側には三角状押え板部材１１の背面側端面が当接しているので、フローティングコネクタ７を図示しない相方のメス型フローティングコネクタに挿し込んで連結する際に、フローティングコネクタ７が前面側に移動して連結操作がし難くなると云った不都合はない。
【００１５】
上記のようにして装着されたフローティングコネクタ７には、電動モータ３から延設された複数の電力線１２と、送出口５から払い出す硬貨や遊技用メダルの枚数を計測する図示しない計数センサから延設された複数の制御線１２Ａと、他端に中間コネクタ１３が連結された複数の制御線１４とが連結されている。
【００１６】
そして、中間コネクタ１３を相方の中間コネクタ１５に連結することにより、容器部材２の内側の比較的低い位置に設置された導電性金属、例えばステンレス鋼板からなるエンプティセンサ１６とフローティングコネクタ７との導通、容器部材２の内側の比較的高い位置に設けられている導電性金属、例えばステンレス鋼板からなるニアエンプティセンサ１７とフローティングコネクタ７との導通、および下端部が回転体４の近くにまで設けられている導電性金属、例えば直径１ｍｍ程度のばね鋼を直径８ｍｍ程度の棒状に密着巻してコイル形状に形成したコモンセンサ１８とフローティングコネクタ７との導通がなされる。
【００１７】
そのため、中間コネクタ１３、１５を連結すると共に、オス型のフローティングコネクタ７を電力供給線や制御器に至る制御線などが接続された図示しない相方のメス型フローティングコネクタに連結し、図示しない制御器によりエンプティセンサ１６とコモンセンサ１８、ニアエンプティセンサ１７とコモンセンサ１８と間の導通の有無、具体的にはその間の電気抵抗値を計測することで、容器部材２内に貯留されている導電性金属製の硬貨や遊技用メダルの残量を把握することができる。
【００１８】
すなわち、容器部材２内が空であるときには、エンプティセンサ１６とコモンセンサ１８、ニアエンプティセンサ１７とコモンセンサ１８の間には導通はなく、センサ間の電気抵抗は無限大に近い大きな値を示すが、容器部材２内に導電性金属からなる硬貨や遊技用メダルが多量に貯留され、それによりエンプティセンサ１６とコモンセンサ１８、ニアエンプティセンサ１７とコモンセンサ１８とが導通すると、その間の電気抵抗はゼロに近い小さな値を示すので、ニアエンプティセンサ１７とコモンセンサ１８との間の電気抵抗がゼロに近い小さな値を示したときには、容器部材２内には十分な量の硬貨もしくは遊技用メダルが貯留されており、ニアエンプティセンサ１７とコモンセンサ１８との間の電気抵抗がゼロに近い小さな値から、突然無限大に近い大きな値を示したときには、容器部材２内に貯留してある硬貨や遊技用メダルがニアエンプティセンサ１７の設置位置より少なくなったことを示しているので、硬貨や遊技用メダルを補充する。
【００１９】
また、エンプティセンサ１６とコモンセンサ１８の間の電気抵抗が無限大に近い大きな値を示したときには、容器部材２内に貯留してある硬貨や遊技用メダルはエンプティセンサ１６の設置位置より少なくなっているので、直ちに、もしくは所定枚数の払い出しを行った後は、払出要求を受け付けないように、図示しない制御器の制御プログラムは構成される。
【００２０】
なお、導電性金属製のコイル状のコモンセンサ１８は、下端側がそれ自体は従来周知の図示しない送出案内ピンより回転上流側に位置するように、上端側が容器部材２のコーナ部に固定され、回転体４により回転搬送される硬貨や遊技用メダルを下端側で均す機能を果たす。
【００２１】
また、コイル状に形成されたコモンセンサ１８の下端側は、硬貨や遊技用メダルを均す過程で衝突する硬貨や遊技用メダルにより不規則な動きをし、容器部材２に貯留されている硬貨や遊技用メダルを下側から叩き上げるので、容器部材２内で硬貨や遊技用メダルがブリッジしても、そのブリッジはすぐに崩される。
【００２２】
上記したように、本発明のコイン状部材送出装置１００においては、部材の凹凸嵌合を利用してフローティングコネクタ７をベース部材１にワンタッチで装着するものであり、フローティングコネクタ７の取り付けには螺子を使用しない。そのため、部品点数の削減が可能であると共に、生産性も向上した。
【００２３】
また、フローティングコネクタ７は、フローティングコネクタ７の係合穴７Ａと短冊状受部材１０の係合突起１０Ａとが嵌合してベース部材１に固定されるので、フローティングコネクタ７の脱落防止が図られるし、フローティングコネクタ７の装着位置がずれることもない。そして、短冊状受部材１０を前面側に撓ませれば、フローティングコネクタ７をベース部材１から取り外すことができる。
【００２４】
なお、本発明は上記実施形態に限定されるものではないので、特許請求の範囲に記載の趣旨から逸脱しない範囲で各種の変形実施が可能である。
【００２５】
例えば、係合突起１０Ａは短冊状受部材１０にではなく、抱持手段９の例えば短冊状受部材１０を臨む面に設けることも可能であるし、抱持手段９と短冊状受部材１０の両方に設けることも可能である。
【００２６】
また、係合突起１０Ａをフローティングコネクタ７の側に設け、抱持手段９または短冊状受部材１０に係合穴７Ａを設けるようにしても良い。
【００２７】
また、回転体４は傾斜した状態に設け、硬貨や遊技用メダルは下部側で分離穴４Ａに入り込み、それを上部側に回転搬送して上部側に設けた送出口から送出するように構成することもできる。
【００２８】
【発明の効果】
この発明装置においては、電動モータ、計数センサなどの電気機構部に電力などを供給するためのフローティングコネクタの装着が、螺子を使用することなく、しかもワンタッチで行えるので、部品点数の削減と製造工程の簡略化が同時に達成でき、その結果として生産性が向上し、廉価な装置の提供が可能となった。
【００２９】
また、請求項３の発明装置においては、フローティングコネクタの脱落防止が図られるし、フローティングコネクタの装着位置がずれることもない。また、短冊状受部材を撓ませれば、フローティングコネクタをベース部材から取り外すことができる。
【図面の簡単な説明】
【図１】本発明のコイン状部材送出装置の説明図である。
【図２】本発明のコイン状部材送出装置の要部を示す説明図である。
【図３】従来技術を示す説明図である。
【符号の説明】
１　ベース部材
２　容器部材
３　電動モータ
４　回転体
４Ａ　分離穴
５　送出口
６　螺子
７　フローティングコネクタ
７Ａ　係合穴
７Ｂ　挟装部
８　コネクタ装着部
９　抱持手段
１０　短冊状受部材
１０Ａ　係合突起
１１　三角状押え板部材
１２　電力線
１３　中間コネクタ
１４　制御線
１５　中間コネクタ
１６　エンプティセンサ
１７　ニアエンプティセンサ
１８　コモンセンサ
１９　空隙
１００、１００Ｘ　コイン状部材送出装置
【図１】
2004121737.tif 000003
【図２】
2004121737.tif 000004
【図３】
2004121737.tif 000005